Podtech/llm-jp-corpus-v4-ja_patent huggingface dataset:
(57)【要約】【課題】  浴槽の水の節約と、健康のための半身浴、介護のための介助用イスとして、浴槽内で、高さの調節できるブロックイスを提供する。【解決手段】  ２つの箱状のブロックを上下に重ねるようにして、上のブロックの底面に、凸部を設け、下の段の上面には、凸部にはまる凹溝を設けて、脱着自由にし、下段の底面には、フラット吸盤をつけ、浴槽の中で吸着させるブロックイスである。【選択図】図１
2008264462.tif 000002
【特許請求の範囲】
【請求項１】
２つの箱状のブッロクを上下に重ねるようにして、上のブロックの底面に凸部を設け、下の段の上面には、凸部にはまる凹溝を設けて、凸部と凹溝を脱着自由にし、下段の底面には、フラット吸盤をつけ、浴槽の中で吸着させる、高さの調節できるブロックイス。
【発明の詳細な説明】
【技術分野】
【０００１】  本発明は、節水、半身浴、入浴介助のためのブロックイスで、お風呂の中で、高さの調節できるブロックイスに関するものである。
【背景技術】
【０００２】  従来の浴槽は、大きな箱型であり、浴槽内には椅子などは設置されていない。
そのために介護で患者を浴槽に入れるときは、患者が不安定で不便なことが多かった。
【発明の開示】
【発明が解決しようとする課題】
【０００３】  そのために、次のような問題点があった。
（イ）風呂の中に、防災用ポリタンク２０リットル×２を入れてみたが、浮かんでじゃま      になった。
（ロ）介護用イスは、節水にならず、不安定である。
（ハ）バスボードは、体を沈めてから、立ち上がるまでが大変である。
本発明は、以上の問題点を解決できるものである。
【発明を解決するための手段】
【０００４】  ２つの箱状のブロックを上下に重ねるようにして、上のブッロクの底面に凸部を設け、下の段の上面には凸部にはまる凹溝を設けて凸部と凹溝を脱着自由にする。
また、下段の底面には、フラット吸盤をつけ、浴槽の中で吸着させるブロックイスである。
【発明の効果】
【０００５】（イ）ブロックイスがあれば、１回の風呂水が減らせて風呂水の交換が気軽にできる。
（ロ）ブロックイスを使って半身浴が楽しめる。
（ハ）安定感のある、高さの調節できるイスが、介護のためだけではなく利用できる事が      気軽に感じる。
本発明の効果は、節水も兼ねて、半身浴や介護用イスとして高さが調節できる事により、気軽に毎日、常備して利用でき楽しめるものである。
【発明を実施するための最良の形態】
【０００６】  以下、本発明の実施形態を説明する。
（イ）２つの箱状のブロックＡ、Ｂを、上下に重ねながら椅子として使用するもので、ブ      ロックＡの上段（１）の底面に凸部（２）を平行して２個設ける。
（ロ）ブロックＢの下段（３）の上面に凸部にはまる凹溝（４）を平行して２個設ける。
（ハ）ブロックのＢの下段（３）の底面にフラット吸盤（５）を設ける。
本発明は以上の構成からなり、本発明を使用するときは、ブロックＡの上段（１）の下面凸部（２）を下段の凹部（４）にはめて、浴槽内に沈め椅子として使用する。
下段（３）の下面にフラット吸盤（５）を設けているので、浴槽に吸着させて固定できる。
【図面の簡単な説明】
【０００７】
【図１】  本発明の斜視図
【図２】  本発明の使用状態を示す断面図
【符号の説明】
【０００８】  （１）は上段
（２）は凸部
（３）は下段
（４）は凹溝
Ａ、Ｂはブッロク
【図１】
2008264462.tif 000003
【図２】
2008264462.tif 000004
(57)【要約】      （修正有）【課題】消臭除菌効率を上げた消臭除菌器を提供する。【解決手段】消臭材を配置した空気収納庫を設け、これにコロナ放電ユニット等を配置し、得られるマイナスイオン及び除菌、消臭された空気を収納庫にプ−ルし、なお収納庫内の空気を更に消臭剤で消臭除菌を行い、自然又は強制排出時の消臭除菌効率を高めることを目的としたものである。ユニットの取り扱いが安全で、簡単に操作ができ、そして二重、三重の効果を得られる様にした。【選択図】図１
2008264446.tif 000002
【特許請求の範囲】
【請求項１】
消臭材を内部に取り込んだ収納庫を設け、これにコロナ放電ユニット等を配置し、得られるマイナスイオン及び消臭除菌された空気をこの収納庫にプ−ルし、なお収納庫内の空気を更に消臭材で消臭除菌を行い、自然又は強制的に外部へ排出する消臭除菌器。
【発明の詳細な説明】
【技術分野】
【０００１】マイナスイオン効果と消臭材の応用で消臭除菌効率を高めた機器
【背景技術】
【０００２】消臭材を内部に取り入れた空気収納庫を設け、コロナ放電等によって発生するマイナスイオンをこれらに収納する事で、除菌と消臭を行い、排出する空気を単独で使用するか、更には他の消臭機器と兼用すれば高効率の出来る消臭除菌機器とした。
【発明の開示】
【発明が解決しょうとする課題】
【０００３】空気収納庫に消臭材を設け、これにコロナ放電等によるマイナスイオン空気を収納し、併用する事で消臭除菌効率を高める事。
【課題を解決する為の手段】
【０００４】コロナ放電等によるマイナスイオン効果で消臭除菌された空気を、消臭材を設けた収納庫と組み合わせる事で、更に消臭除菌効率を高める様にした。
【発明を実施するための最良の形態】
【０００５】コロナ放電等で得たマイナスイオンと消臭除菌された空気を空気収納庫にプ−ルし、この収納庫の各任意の内部部分に消臭材を配置し、更にこの消臭材と触れる事で消臭除菌効率の高い空気を作り出す様にした。
【実施例１】
【０００６】図１は本発明のコロナ放電ユニット等を空気収納庫の任意部分に取り付け、空気収納庫の内部及び排出部位に消臭材を設置した構造を示す。
【発明の効果】
【０００７】コロナ放電等で生じるマイナスイオン及び除菌、消臭された空気を、空気収納庫に取り入れ、この空気を排出する際、空気収納庫に設置した各消臭材と触れる事で、更に二重の消臭除菌効率を得る事が出来た。又この排出された空気を再度コロナ放電方式等に連結する事で更に高い効果を得る事が出来た。
【表１】
2008264446.tif 000003
【図面の簡単な説明】
【０００８】
【図１】コロナ放電等のユニットを空気収納庫の任意である後部に設置し、空気収納庫の内部及び排出部位に消臭材を配置し、強制的に消臭効率の高い空気を外部へ排出する構造を示す。
【符号の説明】
【０００９】１  空気収納庫
２  コロナ放電ユニット
３  消臭材
４  ファン
【図１】
2008264446.tif 000004
【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
マイナスイオン発生器を利用してイオン室を作り、イオン室にアクリル酸をグラフト重合法にて製作した有機導電性繊維の消臭繊維をイオン室内に配置し、イオン化結合や水素結合を促進する事により、消臭分解を短時間で行う事を可能にした機器である。
【手続補正２】
【補正対象書類名】明細書
【補正対象項目名】全文
【補正方法】変更
【補正の内容】
【発明の詳細な説明】
【技術分野】
【０００１】マイナスイオン効果と有機導電性繊維の応用で、消臭除菌効果を高める機器
【背景技術】
【０００２】有機導電性繊維を内部に取り入れた空気収納庫を設け、マイナスイオン機器によって発生するマイナスイオンをこれらに収納し、消臭と除菌を行い、排出する空気を単独で使用するか、更には他の消臭機器と連結する事で、高効率の消臭機器とした。
【発明の開示】
【発明が解決しょうとする課題】
【０００３】有機導電性繊維を配置した空気収納庫へ、これにマイナスイオン機器によるマイナスイオン空気を取り入れ、併用する事で消臭除菌効率を高める。
【課題を解決する為の手段】
【０００４】マイナスイオン機器で得られたマイナスイオンと消臭除菌された空気を有機導電性繊維を設けた空気収納庫と組み合わせる事で、更に消臭除菌効率を高める様にした。
【発明を実施するための最良の形態】
【０００５】マイナスイオン機器で得たマイナスイオンと消臭除菌された空気を空気収納庫にプ−ルし、収納庫内部に配置した有機導電性繊維と触れる事で、消臭除菌効率の高い空気を作り出す様にした。
【実施例１】
【０００６】図１はマイナスイオン機器のユニット等を空気収納庫の空気取り入れ部分に取り付け、空気収納庫の内部に有機導電性繊維を配置し、排出する部位に、更にマイナスイオン機器を結合した構造を示す。
【発明の効果】
【０００７】マイナスイオン機器で生じるマイナスイオン、及び消臭、除菌された空気を空気収納庫に取り入れ、空気収納庫に設置した有機導電性繊維により、効果的に消臭除菌が上昇する様にした。又、従来の粉塵用フィルタ−と組み合わせる事や、更に再度マイナスイオン機器と連結し、より清潔な空気を供給する事が出来た。
【資料１】
2008264446.tif 000005
【図面の簡単な説明】
【０００８】
【図１】空気収納庫の空気取り入れ口にマイナスイオン機器のユニットを配置、及び空気収納庫の内部に有機導電性繊維を配置し排出口に更にマイナスイオン機器を接合した構造を示す。
【符号の説明】
【０００９】１  空気収納庫
２  マイナスイオン機器ユニット
３  有機導電性繊維
４  ファン
【手続補正３】
【補正対象書類名】図面
【補正対象項目名】全図
【補正方法】変更
【補正の内容】
【図１】
2008264446.tif 000006
(57)【要約】      （修正有）【課題】クラブを振ったとき大きな慣性モーメントが得られるゴルフ練習用クラブを提供する。【解決手段】グリップ１の先端に重り５を取り付けたゴルフ練習用クラブにおいて、グリップ１の先端部と重り５とを圧縮コイルスプリング４を介して連結した。グリップ１の延長線と圧縮コイルスプリング４の軸線とのなす角度を５０度から７０度とする。【選択図】図１
2008264442.tif 000002
【特許請求の範囲】
【請求項１】
グリップの先端に重りを取り付けたゴルフ練習用クラブにおいて、グリップの先端部と重りとをコイルスプリングを介して連結したことを特徴とするゴルフ練習用クラブ。
【請求項２】
グリップの延長線とコイルスプリングの軸線とのなす角度を５０度から７０度としたことを特徴とする請求項１記載のゴルフ練習用クラブ。
【発明の詳細な説明】
【技術分野】
【０００１】  本発明は室内でも使用できるゴルフ練習クラブに関する。
【背景技術】
【０００２】  従来のゴルフ練習クラブとして、シャフトの長さを短くしてシャフト端部に重りを固定したものがある（例えば特許文献１）。
また、シャフトに板ばねを使用し先端に重りを固定したものがある（例えば特許文献２）。
【特許文献１】特開２００１−３５３２４７号公報
【特許文献２】実公昭６１−９６５３号公報
【発明の開示】
【発明が解決しようとする課題】
【０００３】  しかしながら上述の双方の従来技術においては、シャフト軸のほぼ延長線上に重りがあるため、クラブを振ったときの大きな慣性モーメントが得られなかった。
【課題を解決するための手段】
【０００４】  本発明は、上記の課題を解決するために、グリップの先端に重りを取り付けたゴルフ練習用クラブにおいて、グリップの先端部と重りとをコイルスプリングを介して連結したものである。【０００５】  また、グリップの延長線とコイルスプリングの軸線とのなす角度を５０度から７０度とする。
【発明の効果】
【０００６】  本発明によれば、きわめてコンパクトながら、コイルスプリングを介して、シャフト軸より重り（ヘッド）が離れているため、少し振るだけでもコイルスプリングの変形で、図１矢印Ｂの方向と、図２矢印Ｃの方向に重りが移動するので大きな慣性モーメントが得られて腕関節の強化、スムーズなリストターンの体得ができる。【０００７】  また、グリップの延長線とコイルスプリングの軸線とのなす角度を、実際のゴルフクラブのライ角に相当する５０度から７０度としたために実際のクラブ相当の違和感のないフィーリングが得られる。
【発明を実施するための最良の形態】
【０００８】  図１は本発明に関わる正面図であり、図２は同側面図である。
これによると弾力のある、たとえばゴムのようなグリップ１を金属、その他ＦＲＰのような強度に優れたシャフト２の一端に取り付ける。シャフト２の他端には固定具３が固定される。なおシャフト２の長さは実際のクラブシャフトよりも十分に短く、室内でも振れることができる程度の短尺とする。【０００９】  その固定具３には、圧縮コイルスプリング４の一端を取り付け、その他端には重り５を取り付ける。シャフト２の軸の延長線と圧縮コイルスプリング４の軸線とは所定の角度Ａを形成する。その角度Ａは、実際のゴルフクラブのライ角と略等しい５０度から７０度とする。重りは、所定の重さを得るため、材質として金属、樹脂等を使うことが出きる。また、ヘッド５の内部を空洞にした構造も可能で、中に金属の球や粒子、或いは液体等を注入してヘッド重量を変化させることも可能となる。【００１０】  この実施例において、ヘッドに相当する重り５はカエルの頭の形状として見た目の楽しさを提供しており、他のキャラクターでも良い。【００１１】  スプリング４は、スイングした場合にスプリング４の変形による適度な反動とスイング感覚を得る作用を有する。【００１２】  圧縮コイルスプリングの代わりに引っ張りコイルスプリングでも良い。
グリップ１は、芯に金属又は木材或いはＦＲＰ等の強度に優れた円形のシャフト２にゴムまたは樹脂等により弾力性を持った材質を接着して構成しているが、ゴルフクラブ用の一般市販品のグリップを装着しても差し支えない。
【図面の簡単な説明】
【００１３】
【図１】本発明によるゴルフ練習用クラブの正面図
【図２】同側面図
【符号の説明】
【００１４】      １  グリップ
２  シャフト
３  支持部
４  圧縮コイルスプリング
５  重り
【図１】
2008264442.tif 000003
【図２】
2008264442.tif 000004
(57)【要約】【課題】  従来の車イスは本体に固定されているペダル軸とペダルの開閉がきつい状態に作られていて、利用者本人か、又は介護者が手や足でペダルを開閉操作しなければならないため、厄介であるうえ手で操作する事は非衛生的であるうえ、介護者は特に時間的なロスが多く、非効率的であった。【解決する手段】  車イスに利用者が立ち座りすれば座シート（２）の下部に設けた作動アーム（３）の上下動によりインナーケーブル（１２）を介してペダル（１６）が自動的に開閉なる様にした。【選択図】図１
2008264447.tif 000002
【特許請求の範囲】
【請求項１】
座シート（２）の下部に、本体１に軸付けした作動アーム（３）を設けた事を特徴とする車イス。
【請求項２】
ペダル軸（４）にペダル作動アーム（５）とペダル（１６）を固着して設けた事を特徴とする車イス。
【発明の詳細な説明】
【技術分野】
【０００１】  本発明は、車イスのペダルの開閉に関するものであり、車イスに利用者が立ち、又は、座る事によってペダルが自動的に開閉なる様にしたものである。
【背景技術】
【０００２】  先願調査、並びに、一般市場調査を行った結果、この様な車イスは見当たらなかった。
【発明の開示】
【発明が解決しようとする課題】
【０００３】  車イスを利用する人は様々な障害を持って利用されていることでありますが、一般的な人の場合、自分で座って手で漕ぐことの出来る人、又は介護者に手をかりて押してもらう人など様々でありますが、従来の車イスは本体に固定されているペダル軸とペダルの開閉がきつい状態に作られていて、利用者本人が、又は介護者が手や足でペダルを開閉操作しなければならない欠点があった。しかも厄介な操作であるうえに、手で操作をするため非常に非衛生的であることを課題とする。
【課題を解決するための手段】
【０００４】  本体（１）に、スムーズに開閉なる様にした軸（４）に前方にはペダル（１６）を固着し、後方にはペダル作動アーム（５）を固着して設けた。シーソー軸（６）の前後に設けたシーソーアー厶１゛（１０）とシーソーアーム２゛（１１）を固着して設け、作動アーム（３）とシーソーアーム１゛（１０）の先端にロット（９）をそれぞれ軸付けした。一方、シーソーアーム２゛（１１）の先端に、アウターケーブル（７）の中にインナーケーブル（８）を通し、その他端を取り付け、片方他端を、ペダル作動アーム（５）に取り付けたベルト（１７）と、本体（１）に取り付けたインナーケーブル引きバネ（１２）と共に取り付けた。（１５）はペダル閉じバネ孔。（１３）はペダル開きバネ。（１４）はペダル閉じ引きバネである。以上の構造にしたことによって、利用者の立ち座りで自動的にペダルが開閉なることによって、本人や介護者の、厄介なペダル操作の必要もなく介護性に富んでいて、しかも衛生的な車イスである。
【発明の効果】
【０００５】  本発明は、利用省が座シート（２）に腰掛けると、利用者の体重で作動アーム（３）が下方に下がる動力を利用して、その動力がロット（９）シーソーアーム１゛（１０）、２゛（１１）を介してインナーケーブル（８）を戻すことの出来る構造とした。一方、本体（１）に、ス厶ーズに開閉なる様にした軸（４）の前方にはペダル（１６）を固着し、後方にはペダル作動アーム（５）を固着した。図２、に示す様に、インナーケーブルの引きバネ（１２）によって下方に下がりベルト（１７）が弛み、ペダル開きバネ（１３）によってペダル（１６）が自動的に開く構造にしたものである。尚、利用者が腰掛けた時に、ペダルの所に利用者の足などがあってペダルが当たっても、ペダル開きバネが弱いバネであるため、けがなどに合う様なことはない。以上の様な構造にしたので、厄介なペダルの開閉操作の必要もなく、介護性に富んでいてしかも衛生的に利用する事の出来る車イスである。尚、図３に示す様に左右の作動アーム（３）は互いに組合う様にしてあるので、折畳むのに支障はない。また、足で漕ぐことの出来る人は、ペダルを開かない様に、公知のロック方式を用いれば良い。
【図面の簡単な説明】
【図１】本発明の構造を示した側面図である。
【図２】ペダル作動アーム部で、点線（１６）はペダルが開く事を示す背面図ある。
【図３】本発明の作動アームとシーソーアーム１゛（１０）２゛、（１１）の左側部を主に図示した平面図である。
【図４】本発明の構造を示した背面図である。
【図５】従来の車イスの側面図である。
【符号の説明】
【０００５】    １    本体                      １２  インナーケーブル引きバネ
２    座シート                  １３  ペダル開き引きバネ
３    作動アーム                １４  ペダル閉じ引きバネ
４    ペダル軸                  １５  ペダル閉じ引きバネ掛け孔
５    ペダル作動アーム          １６  ペダル
６    シーソー軸                １７  ベルト
７    アウターケーブル          １８  シーソー軸支持金具
８    インナーケーブル          １９  前輪
９    ロット                    ２０  後輪
１０    シーソーアーム１゛
１１    シーソーアーム２゛
【図１】
2008264447.tif 000003
【図２】
2008264447.tif 000004
【図３】
2008264447.tif 000005
【図４】
2008264447.tif 000006
【図５】
2008264447.tif 000007
(57)【要約】【課題】  従来の結婚指輪等の特別な関係を強調する指輪の場合は、名前やイニシャル等を入れるのみで実感に乏しいものや、毛髪等特定の人物の実体物を入れる複雑な構造をしたものでした。【解決手段】  特定人物の実指からシリコーン樹脂で型取りし、蝋型法によりプラチナ・金・白金・銀等の貴金属に鋳造成型することで、実体感をシンプルな構造で表現できます。また、量産可能となり特定な人物と多人数との一体感を演出できる。【選択図】図１
2008264443.tif 000002
【特許請求の範囲】
【請求項１】
ある特定人物の実指から型取りし成型することにより、ある特定人物の指の形の一部をそのままに再現した指輪。
【発明の詳細な説明】
【技術分野】
【０００１】  本発明は、装着することにより、ある特定の人物との関係を強く意識できる指輪に関するものである。
【技術背景】
【０００２】  従来の結婚指輪等の特別な関係を強調する指輪の場合は、名前やイニシャル等を入れたり、特許文献１のように文字の割り印表記や特許文献２のような特定人物の毛髪等を入れる仕組みにしたものもある。
【特許文献１】  特許公開２００３−２９９５１１
【特許文献２】  特許公開平１１−３３２６１９
【発明開示】
【発明が解決しようとする課題】
【０００３】  以上にのべた従来の指輪では、文字などの場合は実体感に乏しく、また、実物を入れる等の場合は衛生上の問題も考えられる。
【０００４】  本発明は、装着することにより、ある特定の人物との関係を強く意識できることを目的とした。
【０００５】  そして、本発明は上記目的を達成するために特定人物の実指からシリコーン樹脂で型取りし、蝋型法によりプラチナ・金・白金・銀等の貴金属に成型することで、実体感をシンプルな構造で表現できます。
【発明の効果】
【０００６】  上述したように本発明の指輪は、複雑な構造に頼ることなくある特定人物の指の形を自分の指に重ねることで最大限に特定人物との関係を強く感じることができます。
【発明を実施するための最良の形態】
【０００７】  特定の人物の指の型を取る。一般的には左手薬指であるが全指で可能である。【０００８】  型取り部は凹凸のはっきりした第二関節部を取るが、親指の場合は第一関節部を取る。
図１の（１）に第二関節上部の凹凸の形を表す。【０００９】  型取り部の凹凸が際立つように、真っ直ぐにして図２のシリコーン樹脂離型素材（ポリプロピレン）（４）の型枠に指を差込み型取りする。この時ゴムパッキン（５）により図２の型枠と指（６）は固定され、関節部を正確に型取りし注入するシリコーン樹脂の流出も防ぐことができる。【００１０】  図１の（１）の形になる型取り部は手の甲側の上部シワの多い部分と左右側面部のみが重要である。【００１１】  図２の上部（７）から注型用シリコーン樹脂を充填し、硬化させる。【００１２】  シリコーン樹脂の型は一度だけの型取で半永久的に原型として使用可能である。【００１３】  単品の場合はその型から蝋型を作り、前記貴金属に鋳造し製品になるが、大量生産の場合は金型を成形することで量産可能となる。【００１４】  サイズの設定、変更は（３）下部（手のひら側）の成型していない部分でおこない、場合によってはフリーサイズ構造にすることも可能である。【００１５】  指輪内側（２）には通常どおり氏名・日付・ナンバーなど特定人物との関係を補足する文字を刻むことも可能である。
【産業上の利用可能性】
【００１６】  婚約・結婚指輪としてのほか、俳優・ミュージシャン・アーティスト・政治家等特別な人物の実指形の指輪は、それらのファンや支援者との関係を強調する装着感が得られることで、単品のみでなく量産需要の可能性もある。
【図面の簡単な説明】
【００１７】
【図１】  本発明の斜視図
【図２】  本発明のシリコーン樹脂原型成型器具に指を装着した状態の斜視図
【符号の節名】
【００１８】  １  指型取り部
２  指輪内部（文字刻印部）
３  サイズ調節部位
４  シリコーン樹脂離型素材（ポリプロピレン）
５  ゴムパッキン
６  指
７  シリコーン樹脂注入口
【図１】
2008264443.tif 000003
【図２】
2008264443.tif 000004
(57)【要約】【課題】  靴下を履くための自助具として、適応する靴下のサイズに制約が少ないこと、利用者がより楽な姿勢、あるいは動作で使用できること、および、靴下を履くだけでなく脱ぐ時にも利用できるものが要望される。【解決手段】  柔軟なプラスチックの板にゴム板の小片を貼ったものを用い、柔軟なプラスチックの板が靴ベラのような機能をして、靴下の中に足を誘うと同時に、ゴム板の小片が靴下に適度な抵抗を与え靴下をたくし上げ、靴下を履くことができる。ゴム板の小片は、靴下のサイズに関係しない位置に貼られているため、靴下のサイズに制約がない。  柔軟なプラスチックの板に取り付けた棒（柄）は適度に長く、靴ベラの柄と同様の効果を発揮するため、楽な姿勢を保ったまま靴下を履くことができる。  棒の反対端は靴下を脱ぐためにＶ字型にカットされており、この端を履いた靴下に引っ掛け押すことにより、簡単に靴下を脱ぐことができる。【選択図】図１
2008264445.tif 000002
【特許請求の範囲】
【請求項１】
小片のゴム板を貼り付けた柔軟なプラスチックの板と、これに柄としての棒を取り付けたものから成り、靴下を容易に履くことができるばかりでなく、脱ぐこともできる靴下着脱自助具。
【発明の詳細な説明】
【技術分野】
【０００１】  本発明は、靴下を容易に着脱できる自助具に関する。
【背景技術】
【０００２】  腰痛の方、肥満の方、あるいは妊婦にとって、靴下を履くことは大変な苦労を伴う。従来から靴下を履く自助具は多く提案されているが、柔軟なプラスチックの板を用い、その板の形状のみを工夫することにより靴下を履くものであったため、適応する靴下のサイズに制約があった。また、装着器具をつま先にかなり近づけないと利用できず、容易に靴下を履くと言う目的に反したものでもあった。さらに、靴下を脱ぐことには利用できず、その場合には別途の器具が必要であった（たとえば、特許庁ホームページ公開公報、ファイン（株）製ソックスサポート等）。
【発明の開示】
【発明が解決しようとする課題】
【０００３】  靴下を履くための自助具として、適応する靴下のサイズに制約が少ないこと、利用者がより楽な姿勢、あるいは動作で使用できること、および、靴下を履くだけでなく脱ぐ時にも利用できるものが要望される。
【課題を解決するための手段】
【０００４】  柔軟なプラスチックの板にゴム板の小片を貼ったものを用いる。柔軟なプラスチックの板が靴ベラのような機能をして、靴下の中に足を誘うと同時に、ゴム板の小片が靴下に適度な抵抗を与え靴下をたくし上げ、靴下を履くことができる。ゴム板の小片は、靴下のサイズに関係しない位置に貼られているため、靴下のサイズに制約がない。【０００５】  柔軟なプラスチックの板に取り付けた棒は適度に長く、靴ベラの柄と同様の効果を発揮するため、楽な姿勢を保ったまま靴下を履くことができる。【０００６】  棒の反対端は靴下を脱ぐためＶ字型にカットされており、この端を履いた靴下に引っ掛け押すことにより、簡単に靴下を脱ぐことができる。
【発明の効果】
【０００７】  柔軟なプラスチックの板にゴム板の小片を貼ったものを用いることにより、適応する靴下のサイズに制約がない。柔軟なプラスチックの板に取り付けた棒は適度に長く、楽な姿勢を保ったまま器具の操作ができる。棒の反対端を履いた靴下に引っ掛け押すことにより、簡単に靴下を脱ぐこともできるため、全体として靴下の着と脱の両面の機能を有する。
【発明を実施するための最良の形態】
【０００８】以下、本発明の実施例について、図面を参照して説明する。【０００９】  図１は、本発明の全体構成を示したものである。図中符号１は柔軟なプラスチックの板であり、ゴム板の小片（符号２）が貼り付けられている。同時に、柄としての棒（符号４）が接続具（符号３）で取り付けられている。棒の反対端（符号５）はＶ字型にカットされている。【００１０】  図中符号２の断面Ａ−Ａは図２に示され、ゴム板の小片が柔軟なプラスチックの板を巻くように貼られている。【００１１】  図３は靴下の履き方を示したものである。まず、柔軟なプラスチックの板の先端部に靴下を図のように装着する。この時、靴下の先端と柔軟なプラスチックの板の先端を一致させるとともに、束ねられた靴下の部分がゴム板より棒側に位置するようにセットする。靴下の踵は、柔軟なプラスチックの板の湾曲面側に位置するように装着する。この状態で棒を床に押し付けると、柔軟なプラスチックの板はカップ状に開く。カップの中に足（符号７）のつま先を入れ、棒を手元に引くと、靴下がつま先から順次繰り上げられる。【００１２】  図４は、ゴム板の小片の機能を示したもので、ゴム板の小片が靴下に適度な抵抗を与え、束ねられた靴下を順次伸ばしながら、足の形の沿って靴下をフィットさせて行く。
最後は靴下の口からゴム板の小片が出て、靴下の装着が終わる。【００１３】  一方、図５は、靴下を脱ぐ際の様子を示したもので、Ｖ字型にカットした棒の端（符号５）を足と靴下の間に挿入し、そのまま棒を押すと靴下は踵から外れ、さらに靴下は足から離れる。【００１４】  以上のように、本発明は、ゴム板の小片を用いた新たな原理により靴下の装着を可能にしており、また、着脱両面に機能する利便性は、特記に値する。
【図面の簡単な説明】
【００１５】
【図１】本発明の全体構成図。
【図２】Ａ−Ａ線断面図。
【図３】靴下装着の手順を示す図。
【図４】靴下装着の原理を示す図。
【図５】靴下を脱ぐ手順を示す図。
【符号の説明】
【００１６】１  柔軟なプラスチックの板
２  ゴム板の小片
３  接続具
４  柄（棒）
５  Ｖ字にカットされた棒の先端
６  靴下
７  足
８  床
【図１】
2008264445.tif 000003
【図２】
2008264445.tif 000004
【図３】
2008264445.tif 000005
【図４】
2008264445.tif 000006
【図５】
2008264445.tif 000007
(57)【要約】      （修正有）【課題】本発明は光硬化性歯科材料を使用する際、一時的に容器から取り出された歯科材料が環境光（照明光および自然光）により硬化しない様に用いる光硬化性歯科材料を覆う遮光カバーに関する。【解決手段】本発明は光硬化性歯科材料を光源から保護する為の遮光カバーであって、遮光カバーの一部分に開口部を有することを特徴とする遮光カバーである。また、開口部に開閉可能な遮光扉がついている前述の遮光カバーである。また、歯科材料を硬化させる波長の光を遮断し、それ以外の光を透過させる材質で構成されている前述の遮光カバーである。【選択図】図１
2008206537.tif 000002
【特許請求の範囲】
【請求項１】
作業台上に取り出された光硬化性歯科材料を光から保護する為の遮光カバーにおいて、１平面で切り取られた中空体であって、一部分に開口部を有することを特徴とする遮光カバー。
【請求項２】
開口部に開閉可能な遮光扉がついていることを特徴とする請求項１に記載の遮光カバー。
【請求項３】
歯科材料を硬化させる波長の光を遮断し、それ以外の波長の光を透過させる材質で構成されている、請求項１および請求項２に記載の遮光カバー。
【発明の詳細な説明】
【技術分野】
【０００１】
本発明は光硬化性歯科材料を使用する際、一時的に容器から取り出された歯科材料が環境光（照明光および自然光）により硬化しない様に用いる遮光カバーに関する。
【背景技術】
【０００２】
現在、歯科治療に用いられる歯科材料には光照射により硬化するものが多く用いられている。例えば歯牙欠損部修復に用いられる直接修復用充填材、接着材、セメント、歯冠補綴物を作製するための歯冠用硬質レジン、接着材、セメント、矯正器具用接着材などが挙げられる。
これらの歯科材料を用いる場合、容器から取り出された材料は一時的に作業用のパレット、練板、ペーパーパッドなどに置かれる。その後、治療もしくは技工作業に応じて、材料は所望の量の採取、形態を調整、混合などの操作が行なわれ、目的とする歯牙欠損部や補綴物へと適用される。この作業時間中、材料は作業台上に放置されることになる。これらの光硬化性歯科用材料は、歯科用の光照射器により数秒から数分の光照射で硬化するが、環境光によっても数分から数十分の間に硬化を開始する。このような環境光による歯科材料の硬化開始を防ぐために、光を透過させない材質で作られた遮光カバーが用いて、歯科材料全体を覆うようにカバーを被せ、作業台上の材料を操作していない間は、硬化開始を防ぐのである。
【非特許文献１】ソリデックス（松風社製）取扱説明書
【発明の開示】
【発明が解決しようとする課題】
【０００３】
実際の歯科臨床における作業では、片方の手でインスツルメントを持ち歯科材料を操作する一方でもう片方の手は、場合により患者の口唇を保持、光照射機器を保持、補綴物を保持しているなど別の操作をしている。つまり、臨床作業においては両方の手を同時に使っている場合が多い。ところが、作業台上に取り出され遮光カバーを被せられた材料を随時操作しようとするとき、その都度インスツルメントを持たない方の手を使って遮光カバーを取り除く作業か、インスツルメントを持ったまま遮光カバーを外すかが必要になってくる。そして材料をインスツルメントに採取した後で、再び遮光カバーを被せる操作をしなければならず、結果として作業効率が悪くなっているのが現状である。
【課題を解決するための手段】
【０００４】
本発明は作業台上に取り出された光硬化性歯科材料を光から保護する為の遮光カバーにおいて、１平面で切り取られた中空体であって、一部分に開口部を有することを特徴とする遮光カバーである。
【０００５】
また、開口部に開閉可能な遮光扉がついている前述の遮光カバーである。
また、歯科材料を硬化させる波長の光を遮断し、それ以外の波長の光を透過させる材質で構成されている前述の遮光カバーである。
【発明の効果】
【０００６】
歯科材料用遮光カバーの一部分を開口することにでは、歯科材料に照射する光は非常に弱い間接光のみに限定されるため、作業時間中に材料の硬化が開始することはない。よって本発明による遮光カバーを用いることにより、治療作業もしくは技工作業時に遮光カバーを取り除く必要がなくなるため、作業効率が改善される。
【発明を実施するための最良の形態】
【０００７】
本発明は遮光カバーの一部を開口させることに特徴がある。
よってカバー自体の形態や大きさに制限はなく、作業に支障をきたさない範囲で自由に選択することができる。概略的には１平面で切り取られた中空体である。作業台上に取り出された光硬化性歯科材料を遮光カバーの平面で切り取られた部分から中空体の中に収めて用いる。
特に形状に制限を付けるものではないが、円柱状、四角柱状、角柱状、円錐状、四角錐状、角錐状、ドーム状、蒲鉾状など、球状であっても良いが、作業台に取り出された歯科材料が納められるように中空体であって、作業台との隙間が開かない様に１平面で切りかかれている。切りかかれた部分は作業台との隙間を減らす為にも、作業台に沿ってフランジを有することが好ましい。
開口部の大きさはインスツルメントを挿入して材料を操作できる大きさが必要である。好ましくは1cmから10cm四方形程度の大きさで、さらに好ましくは2cmから5cm四方形程度が適している。ただし、カバー自体の形態や大きさにも関係してくるため、上記の大きさの好ましい範囲は一例であり、カバーの大きさが大きい場合などは、これらの大きさに限られるものではない。
開口部の形状に関しては、作業に支障をきたさない範囲で自由に選択される。また、開口部の個数については光を遮断する機能が損なわれない範囲で自由に選択することができる。通常の診療室内または技工作業室内の環境光を想定すると、光は多方向から照射されているため、開口部はカバーの一方向に一箇所のみ付いているのが好ましい。
特に開口部が１平面で切り取られた辺につながっていることが好ましい。
【０００８】
本発明の遮光カバーの開口部には、開閉可能な遮光扉を設けることが可能である。この扉により、作業台上の材料を操作しない時間は光を完全に遮断することができる。扉の開閉機構については特に制限されないが、好ましくはインスツルメントを持ったまま操作できる機構がよい。例えばヒンジ機構を利用して、一本の指だけで開閉可能な扉などである。
【０００９】
本発明の遮光カバーの材質については、光を透過しない材質であれば特に制限されない。また、光硬化性歯科材料が硬化を開始する波長の光を遮断し、それ以外の波長の光を透過する材質を使用することにより、カバーを通しても中にある材料の観察が可能となるため作業効率が良くなる。
現在、光硬化性歯科材料の多くは380〜500nmの波長の光で硬化する。このため例えば500nm以下の波長の光を遮断し、それ以上の波長の光を透過させるオレンジ色や赤色の透明な材質でカバーを作製することが可能である。
カバーの好ましい材料は、ガラス又は樹脂で、特に好ましい材料は樹脂性である。
【産業上の利用可能性】
【００１０】
歯科材料の遮光カバーとして用いることができる。
【図面の簡単な説明】
【００１１】
【図１】遮光カバーの第1の斜視図
【図２】遮光カバーの第２の斜視図
【図３】従来の遮光カバーの斜視図
【図１】
2008206537.tif 000003
【図２】
2008206537.tif 000004
【図３】
2008206537.tif 000005
(57)【要約】【目的】つり針の、水（淡水・海水・おのおの）よりも、はるかに重い比重による問題を、解決し、より魚がつれやすくなるつり針を提供する。【構成】従来のつり針の本体（１）に浮力のある素材（２）を装着し、その量の調節により、水中でのつり針の比重を水の比重に近づける。水中でのつり針の重さを軽減することを特徴とする。【選択図】図１
2008206503.tif 000002
【特許請求の範囲】
【請求項１】
水（淡水・海水）おのおのの比重に合わせ、比重を軽くしたつり針。
【発明の詳細な説明】
【発明の詳細な説明】
【産業上の利用分野】
【０００１】つり針を使用する、漁業全般
【背景技術】
【０００２】従来、つり針は鉄やステンレス等の金属製で、水よりもはるかに比重が重かった。
【発明が解決しようとする課題】
【０００３】これには次のような欠点があった。
（イ）つり針が水よりはるかに比重が重いため、エサをつけても、魚が吸い込む時のふれが、不自然で、つり針がついていることを、魚に、見やぶられやすかった。
（ロ）つり針のついているエサの姿勢が不自然だった。
（ハ）つり針が重いため、魚への針がかりが悪かった。
本発明は、これらの欠点を除くためになされたものです。
【課題を解決するための手段】
【０００４】従来のつり針に浮力のある素材を装着、あるいは、コーティングする。
その量の調節により水（淡水・海水おのおの）の比重につり針の比重をあわせる。
【作用】
【０００５】空気中では、従来のつり針よりも重くなるが、水の中では軽くなる。
【実施例】
【０００６】（イ）従来のつり針に、水（淡水・海水・おのおの）よりも比重のはるかに軽い素材（発泡スチロールや発泡ウレタン等）を装着、あるいは、コーティングし、水中でのつり針の比重を０に近くする。
【発明の効果】
【０００７】魚がつれやすくなる。
［理由］
（イ）魚が吸い込む時のふれが自然に近い。
（ロ）つり針のついているエサの姿勢が自然に近い。
（ハ）つり針が軽いため、魚への針ががりが良くなる。
【図面の簡単な説明】
【図１】本発明の断面図である。
【符号の説明】
１  つり針
２  浮力のある素材
３  強度をますためのコート（ビニール）等
【図１】
2008206503.tif 000003
(57)【要約】【課題】本願発明は、壁面に設置し、土壌の保全ができる壁面緑化具の提案にある。【解決手段】本発明は、壁面緑化用の緑化具において、建物の壁面の周囲に設けた回廊と、回廊に設けた植物育成用のプランターからなり、回廊を植物育成用のプランターの管理用足場とした壁面緑化具である。建物の壁面の周囲に回廊をめぐらせ、回廊に植物育成用のプランターを配設したので十分な土壌の供給及び世話管理が可能となる。壁面緑化具に網体を設け、当該網体によって壁面からのタイル、ガラスなどの剥落、プランターの落下防止を図る。【選択図】図1
2008206502.tif 000002
【特許請求の範囲】
【請求項１】
壁面緑化用の緑化具において、建物の壁面の周囲に設けた回廊と、回廊に設けた植物育成用のプランターからなり、回廊を植物育成用のプランターの管理用足場としたことを特徴とする壁面緑化具。
【請求項２】
請求項1記載の壁面緑化具において、当該壁面緑化具に網体を設け、屋根雨水の受水槽を回廊に設けプランターに給水可能としたことを特徴とする壁面緑化具。
【発明の詳細な説明】
【技術分野】
【０００１】
本発明は、建物の壁面を緑化するための壁面緑化技術に属する。
【背景技術】
【０００２】
壁面を緑化した壁面緑化物は、フェンスに絡ませたつた類、図４に示したように、特許公開2002-327440、特許公開2002-330631に開示されたように植物を根付かせた人工の緑化盤を壁に垂直に懸架したもの、垂直に懸架した繊維マットに植物を育成させあるいは植物の茎や枝を格子に結束したもの、あるいは棚に並べた植木箱等がある。あるいは多孔質の壁にこけ、シダ類を育成したものが知られている。
【０００３】
これら壁面緑化物は、特に垂直に懸架した繊維マットや多孔質の壁では、植生が生育するだけの充分な土壌が供給できないため、また土壌の保全が困難なため利用できる植物が制限される等の問題点がある。
【０００４】
【特許文献１】特許公開2002-327440
【特許文献２】特許公開2002-330631
【発明の開示】
【発明が解決しようとする課題】
【０００５】
本願発明は、壁面に設置し、土壌の保全ができる壁面緑化具の提案にある。
【課題を解決するための手段】
【０００６】
本第1の発明は、壁面緑化用の緑化具において、建物の壁面の周囲に設けた回廊と、回廊に設けた植物育成用のプランターからなり、回廊を植物育成用のプランターの管理用足場としたことを特徴とする壁面緑化具である。十分な土壌の供給のため植物育成用のプランターを使用し、管理世話を行うため回廊を設けた。
本第２の発明は、請求項1記載の壁面緑化具において、当該壁面緑化具に網体を設け、屋根雨水の受水槽を回廊に設けプランターに給水可能とした壁面緑化具である。網体をめぐらすことで壁面からの剥落、プランターなどの落下を防止する。
【発明の効果】
【０００７】
建物の壁面の周囲に回廊をめぐらせ、回廊に植物育成用のプランターを配設したので十分な土壌の供給及び世話管理が可能となる。
網体をめぐらすことで壁面からのタイル、ガラスあるいはプランターの落下防止になる。
【発明を実施するための最良の形態】
【０００８】
以下本発明を図によって、より詳細に説明する。
図１は、本第1の発明である壁面緑化具の概念図である。図に示すように、本壁面緑化具は壁面に沿って複数段の回廊をめぐらせてある。同時に植物育成用のプランターを回廊に配設してある。
【０００９】
回廊は図に示すものは、柱を２列壁面に沿って平行に設け、その間に長手方向に沿って板を敷き回廊とする。回廊は上下方向に平行に複数段設けている。回廊は足場として使用するための人が歩ける程度の幅を考慮して設けることが好ましい。
植物育成用プランターは、図では回廊上に配設してある。回廊上に限らず、回廊を支える柱間に梁を配設し、その梁にフックなどを使用して懸架させることでもよい。ボルト・ナットなどで固定することでもよい。従来の固定技術を適宜利用して回廊に固定する。
【００１０】
図では回廊は建物の壁面とは独立となるように示してあるが、壁面と一体化するように設けることでもよい。回廊は必要に応じて建物の窓拭きなどの足場として作業ができるような位置に設けてもよい。
【００１１】
植物育成用プランターは既存のプランターを適宜配列してもよく、Ｕ字形のブロックを直線状に接続してその両端を塞いだものでもよい。
プランターで育てる植物も季節季節に応じ変化させることでもよく、一年中緑となる常緑の植物を利用してもよい。
【００１２】
本第２の発明である壁面緑化具は、図３に示すように、本第1の発明である壁面緑化具に網体を設けたものである。さらに屋根雨水の受水槽を回廊に設け、プランターに給水できるようにしたものである。受水槽は免震を考慮し円筒形とすることが好ましい。  
図では網体は回廊、プランターの前面に設けている。網体を設けることでつる性の植物による緑化が容易となると同時に壁面、ガラス、その他プランターの落下防止となる。図３では網体はプランターの前面に設けてあるが足場の両側に設けてもよい。
【００１３】
受水槽は回廊の上面に設けてあるが、下面に設けてもよく、既存の方法でプランターに給水できる。
【００１４】
プランターの材質は樹脂、ステンレススチール、アルミニウムなどが使用可能であるが、使用期間、壁面の気象条件などを考慮して適切な材質を選ぶことができる。土壌の充填、植物の交換など作業の便を考慮し、回廊から取り外し可能に設けることが好ましい。
【図面の簡単な説明】
【００１５】
【図１】は、 本第1の発明の壁面緑化具を示す概念図である。
【図２】は、本発明の壁面緑化具に植物を植えた状態を示す概念図である。
【図３】は、本第２の発明の壁面緑化具を示す概念図である。
【図４】は、従来の壁面緑化方法を示す概念図である。
【符号の説明】
【００１６】
１  回廊
２  柱
３  植物育成用プランター
４  網体
５  受水槽
６  建物
７  雨水配管
【図１】
2008206502.tif 000003
【図２】
2008206502.tif 000004
【図３】
2008206502.tif 000005
【図４】
2008206502.tif 000006
(57)【要約】      （修正有）【課題】従来は道糸とハリスをつなぐため丸カンを使って仕掛けを作っていたが道糸にオモリを付けていたため道糸が板オモリの為に傷ついていた。使っている内に道糸が切れてしまっていた。【解決手段】道糸の傷つきを解消するために片方ヨリモドシでオモリを道糸に巻かずに板オモリを固定して道糸のヨリとハリスのヨリを防ぐようにした。【選択図】図２
2008206508.tif 000002
【特許請求の範囲】
板オモリが巻ける片方ヨリモドシの釣具
【発明の詳細な説明】
【発明の詳細な説明】
この発明は道糸とハリスをつなぐため丸カンを使って仕掛けを作っていたが道糸にオモリを付けていたため道糸が板オモリの為に傷ついていた。
使っている内に道糸が切れてしまっていた。
本発明はその道糸の傷つきを解消したものである。
・輪っかと輪っかを継ぐことでオモリを道糸に巻かずにすむ。
・板オモリが固定される。
・道糸を傷つけない。
・道糸とハリスを容易に継ぐことができる。
・からまりを防ぐことができる。
・竿先のリリアンを傷つけない様になった。
・道糸のヨリとハリスのヨリを片方ヨリモドシで糸のヨリを防ぐことができる。
・板オモリの巾を一定のものにしないで巾の狭いものとか巾の広いものとかを使用できる様になった。
【図１】
2008206508.tif 000003
【図２】
2008206508.tif 000004
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
・オモリが巻ける片方ヨリモドシの釣具
【手続補正２】
【補正対象書類名】明細書
【補正対象項目名】全文
【補正方法】変更
【補正の内容】
【発明の詳細な説明】
【技術分野】
【０００１】・この発明は道糸とハリスをつなぐため九カンを使って仕掛けを作っていたが通糸にオモリを付けていたため道糸が板オモリの為に傷ついていた。使っている内に道糸が切れてしまっていた。本発明はその道糸の傷つきを解消したものである。
・輪っかと輪っかを継ぐことでオモリを道糸に巻かずにすむ。
・板オモリが固定される。
・道糸を傷つけない。
・道糸とハリスを容易に継ぐことができる。
・からまりを防ぐことができる。
・竿先のリリアンを傷つけない様になった。
・道糸のヨリとハリスのヨリを片方ヨリモドシで糸のヨリを防ぐことができる
・板オモリの巾を一定のものにしないで巾の狭いものとか巾の広いものとかを使用できる様になった。
【図面の簡単な説明】
【０００２】
【図１】平面図
【図２】全体図
【符号の説明】
【０００３】▲１▼  輪っか
▲２▼  板オモリを巻く所
▲３▼  ヨリモドシ
▲４▼  竿
▲５▼  リリアン
▲６▼  道糸
▲７▼  浮子
▲８▼  板オモリ
▲９▼  ハリス
【手続補正３】
【補正対象書類名】図面
【補正対象項目名】全図
【補正方法】変更
【補正の内容】
【図１】
2008206508.tif 000005
【図２】
2008206508.tif 000006
(57)【要約】【課題】  シールをはがす際なかなか剥がれないという不都合を解決すること。【解決手段】  本発明により機械的にかんたんにシールをはがれるようにする。【選択図】      図１
2008206548.tif 000002
【特許請求の範囲】
【請求項１】
上面、底面を固定することと、シールをスライドした先にナイフのように尖ったものにあたり自然とシールがめくれることを特徴とした簡易シールはがし。
【請求項２】
上面、底面を固定し、シールをスライドした先に針のように尖ったものにあたり自然とシールがめくれることを特徴とした簡易シールはがし。
【請求項３】
シールの幅をめくる下の部分よりも狭めることにより、シールをはがしやすくする。
【発明の詳細な説明】
【技術分野】
【０００１】
本発明は、テープ状のシールを使う器具に関するものであり、簡単にそのシールがめくれるようにしたものである。
【背景技術】
【０００２】
従来から、様々なビジネスシーン、日常生活のなかにおいてテープ状シールが使われている。
【発明の開示】
【発明が解決しようとする課題】
【０００３】
しかし、その使い勝手のよいテープ状シールも最後の貼るといった作業の時になかなか粘着部分がはがれないといった不都合が生じる。本発明は、このような不都合を解決することを課題とする。
【課題を解決するための手段】
【０００４】
この課題を解決するための請求項１、請求項２の発明は、上面、底面を固定すること、その上下のすきまをシールが通るぎりぎりの幅を確保することによって、シールをスライドさせやすく、することができる。
【０００５】
また、請求項１の発明では、上面、底面を固定することによって、手ではふにゃふにゃ曲がりやすいシールを曲がらないよう固定でき、かつ先端にナイフのように先の尖ったものにスライドして接触させるだけで簡単にシールが剥がせてしまう。
【０００６】
また、請求項２の発明では、めくれた際シール部分が先端の刃の部分にくっついてしまいにくくするため針状にする。
【０００７】
請求項３では、テープ状のシールのシール部分の幅だけを細くすることで簡単にシールがはがせてしまう。
【０００８】
本発明によりシールをはがす際、ストレスを感じることなく、簡単にシールを剥がせてしまう。
【発明を実施するための最良の形態】
【０００９】
図１は、シールをスライドさせ上面、底面のすきまをくぐらせた先に針のようなものにあたり、シールをはがす装置の側面図である。同図に示すように、上下をぎりぎりまで狭めることにより、シールがずれにくくすることができ、その先のはりにピンポイントであたりシールをめくることができる。
【００１０】
これらの材料はプラスチックなどでもよく、また先端の部分はプラスチック製、又は鉄、アルミ製などの金属材料でもよい。
【産業上の利用可能性】
【００１１】
本発明は、工業的に量産することが可能であるため、産業上の利用可能性を有する。
【図面の簡単な説明】
【００１２】
【図１】側面からみた図である。
【図２】正面からみた図である。
【符号の説明】
【００１３】
1  上下のすきまをシールがなめらかに通るぎりぎりの幅にする。
2  １を通してでたところで針に接触しシールがめくれる。
【図１】
2008206548.tif 000003
【図２】
2008206548.tif 000004